(57)【要約】【課題】  利用者の携帯端末をカラオケのリモコンとして使えるカラオケシステムにおいて、利用者が複数のカラオケ店で同一携帯端末をリモコンとして使用したとき、カラオケ店による演奏楽曲の差分がある場合、カラオケ店にない楽曲がリモコンに表示されることがあった。【解決手段】当該リモコン端末がカラオケ店でカラオケ装置とペアリングする際に、カラオケ装置より歌唱可能な楽曲をリモコンに転送し、ユーザに表示する。【選択図】図１
2015210403.tif 000002
【特許請求の範囲】
【請求項１】
利用者の携帯端末をカラオケ装置とペアリングすることでリモコン端末として使用し、カラオケ装置は任意のタイミングでサーバから追加楽曲を取得（ダウンロード）し、端末装置毎に保持楽曲が異なり、それぞれの更新タイミングにずれのあるネットワークカラオケシステムにおいて、
カラオケ端末装置が持っている楽曲リストとリモコン端末が持っている楽曲リストに差分がある場合、カラオケ端末が持っている楽曲リストをペアリング時にリモコン端末に転送することにより、
当該利用者のリモコン端末には、当該カラオケ装置で歌唱可能な楽曲が表示されることを特徴とするネットワークカラオケシステム。
【請求項２】
カラオケ端末装置が保持している楽曲リストが、リモコン端末の楽曲リストより新しい場合にのみ、当該カラオケ端末装置の楽曲リストを当該リモコン端末へ転送する請求項1記載のカラオケネットワークシステムにおいて、
当該リモコン端末の楽曲リスト上に保持している楽曲リストの楽曲で、当該カラオケ装置に保持されていない楽曲がリクエストされた場合、センターサーバより当該楽曲をダウンロードして演奏することを特徴とする請求項１記載のネットワークカラオケシステム。
【請求項３】
前記請求項２において、リモコン端末がカラオケ端末装置からではなく、センターサーバから楽曲リストを更新できる事を特徴とする請求項２記載のネットワークカラオケシステム。
【発明の詳細な説明】
【技術分野】
【０００１】
本発明は、利用者の多機能携帯端末をリモコンとして使用できるネットワークカラオケにおいて、選曲のために楽曲を多機能携帯端末に送信する技術に関するものである。
【背景技術】
【０００２】
最近のカラオケにおいては、利用者の多機能携帯端末（スマートフォン）をリモコンとして使用できるタイプが増えてきた。
【０００３】
このようなタイプのカラオケシステムでは、当該スマートフォンに予約用の楽曲メタデータがダウンロードされ、利用者は自分のスマートフォン上で楽曲の歌唱予約を行うのが一般的である。（特許文献１）
【０００４】
さて、利用者のスマートフォンを上記のようにカラオケのリモコンとして扱い、スマートフォンの中に予約用の楽曲メタデータが記憶されれば、カラオケ店舗を離れても当該スマートフォンには当該メタデータが残っており、次回カラオケ店を訪れる際にはまたこのデータを利用できることが期待される。
【０００５】
ところで、近年のネットワークカラオケにおいては、楽曲はセンターサーバより各店舗のカラオケ装置に配信されている、しかし全店舗への配信を一斉におこなうと、ネットワークの輻輳を招くなどの問題があるため分散して配信されている。そのため、それぞれの店舗によりカラオケ装置が持っている楽曲に差分ができるケースもある。
【０００６】
そこで、自分のスマートフォンを持った利用者が、次回他の店舗を訪れた場合、自分のスマートフォン上にある楽曲がそのカラオケ店舗に存在しないケースが発生する。
【０００７】
このため、店舗側では、楽曲を事前に分散配信しておき、全店の配信が完了した後、一斉に利用開始するなどの対応が必要であったため、楽曲の配信が完了していても利用できないという不都合も起きていた。
【先行技術文献】
【特許文献】
【０００８】
【特許文献１】特許３９４６５３７号公報
【特許文献２】特開２００７−２１８９８１号公報
【発明の概要】
【発明が解決しようとする課題】
【０００９】
特許文献１は、カラオケ装置からクレードル経由で多数の検索式カラオケ選曲リモコンの楽曲データベースを更新する処理に関する物であり、リモコンをそれぞれ接続するための複数のリモコン接続コネクタと、カラオケ装置や他の集合型クレードルなどのデータ送り手と接続するためのソース接続コネクタと、他の集合型クレードルなどのデータ受け手と接続するためのターゲット接続コネクタと、各コネクタとそれぞれ内部配線で接続された切替回路と、特定の１つのリモコン接続コネクタに接続されたリモコンに対してそのことを認識させるための標識手段とを備え、切替回路は、コネクタに対して外部から供給される切替制御信号によって切替制御され、コネクタを、他のコネクタの中の１つと選択的に接続する。
【００１０】
特許文献２はリモコン装置の使い勝手を良くし、リモコン装置とカラオケ装置本体との間で曲目リストデータ等の同期更新を可能にし、且つ、最新の曲目を常に利用できるようにすることを目的としており、
複数台のリモコン装置は、カラオケ装置本体の曲目リストデータ等を取得可能であり、各リモコン装置は、曲目リストデータ等を保存するためのメモリと、曲目リストデータ等を表示する操作画面を有する。各リモコン装置とカラオケ装置本体は、ＲＦ無線方式の電波を介して双方向に通信可能に構成され、カラオケ装置本体に配信される最新の曲目リストデータ等は、各リモコン装置のメモリに同期更新して情報共有される。
【００１１】
特許文献１は、カラオケ装置からクレードル経由で多数の検索式カラオケ選曲リモコンの楽曲データベースを更新する処理に関する物であり、カラオケ機器とリモコン間のデータ更新を有線の専用クレードルで行うものであり、カラオケ店内で使用する専用リモコンとしての機能であり、利用者のスマートフォンとして店外に持ち出し、蓄積登録された楽曲リストを他店で使用するところまでは考えられていない。
一方、特許文献２は、カラオケ装置本体に配信される最新の曲目リストデータ等を、各リモコン装置にＲＦ無線方式の電波を介して、各リモコン装置のメモリに同期更新して情報共有されるが、カラオケ装置から専用リモコンに保存されている曲目リストデータ等を更新するというものであり、本発明の課題となっているカラオケ装置のリモコンとして動作する利用者のスマートフォンをカラオケ装置とペアリングして使用するという物ではなく、他の店舗のカラオケ装置とリモコン装置として接続した際に、楽曲の差分があることへの解決手段とはなっていない。
【００１２】
本発明の前提となるシステムは、最新の楽曲データと会員データベースとを持つカラオケセンターと、カラオケセンターより楽曲データを供給されるカラオケ装置と、当該カラオケ装置とペアリングすることで当該カラオケ装置のリモコン装置として使用でき、楽曲リストを当該カラオケ装置あるいは前述のカラオケセンターからダウンロードでき、またカラオケセンターの会員データにアクセスできる利用者の多機能携帯端末とからなるカラオケシステムである。
【００１３】
上記システムにおいて、店舗に設置されたカラオケ装置は、楽曲データの更新タイミングによって、カラオケセンターのサーバと差分が発生する事があり、また店舗のデータ更新スケジュールによっては、他の店舗のカラオケ装置とも楽曲データのずれが発生する事があるため、他店で使用した利用者の多機能携帯端末とペアリングした場合、演奏できる楽曲に差ができてしまうことが課題であった。
【課題を解決するための手段】
【００１４】
本発明は上記のような問題に鑑みてなされたもので、本発明の請求項１は、
利用者の携帯端末をカラオケ装置とペアリングすることでリモコン端末として使用し、カラオケ装置は任意のタイミングでサーバから追加楽曲を取得（ダウンロード）し、端末装置毎に保持楽曲が異なり、それぞれの更新タイミングにずれのあるネットワークカラオケシステムにおいて、
カラオケ端末装置が持っている楽曲をペアリング時にリモコンに転送することにより、
当該利用者のリモコンには、当該カラオケ装置で歌唱可能な楽曲が表示されることを特徴としており、当該カラオケ装置で使用できない（保持していない）利用者の持ち歌等を表示しないことにより、利用者の混乱を避けるというものである。
【００１５】
また本発明の請求項２は、カラオケ端末装置が保持している楽曲リストが、リモコン端末の楽曲リストより新しい場合にのみ、当該カラオケ端末装置の楽曲リストを当該リモコン端末へ転送する請求項1記載のカラオケネットワークシステムにおいて、
当該リモコン端末の楽曲リスト上に保持してされていて、当該カラオケ装置に保持されていない楽曲がリクエストされた場合、センターサーバより当該楽曲をダウンロードして演奏することを特徴とする請求項１記載のネットワークカラオケシステムである。
【００１６】
本発明の請求項３は、前記請求項２において、リモコン端末がカラオケ端末装置からでなく、センターサーバからも楽曲を更新できる事を特徴とする請求項２記載のネットワークカラオケシステムである。
【発明の効果】
【００１７】
本発明によれば、利用者のスマートフォンに保存されていた楽曲がカラオケ店のカラオケ装置に存在しない場合、請求項１では、利用者のスマートフォンに当該楽曲を表示しないことで、利用者の混乱を未然に防ぐことができる。また請求項２では一歩進めて、当該楽曲をセンターサーバよりダウンロードして歌唱できる状態とすることにより、利用者に不便を感じさせないようにすることができる。また請求項３ではリモコンがスマートフォンであるという利点を生かし、カラオケ端末装置に拠らず汎用ネットワーク経由でサーバから最新の楽曲リストをダウンロードし、その楽曲リストにより選曲した楽曲が入店したカラオケ店舗のカラオケ端末装置に存在しなければその都度サーバよりダウンロードするというものである。
【図面の簡単な説明】
【００１８】
【図１】本発明の請求項１の実施例を示した説明図である。
【図２】本発明の請求項２の実施例を示した説明図である。
【図３】本発明の請求項３の実施例を示した説明図である。
【発明を実施するための形態】
【００１９】
ネットワークカラオケシステムは一般に図１のイメージのように、市中のカラオケ店のカラオケ装置が専用ネットワークを介して接続されている。
【００２０】
本発明の実施例を図１により説明する。カラオケ店１とカラオケ店２はカラオケ専用サーバ６と接続されている。カラオケ店はそれぞれ楽曲を週次更新することになっており、例えばカラオケ店１は毎週月曜日、カラオケ店２は毎週日曜日が更新日となっているとする。カラオケ店１は、24時間営業年中無休の店舗であり週末の稼働率が高く、比較的稼働率の低い月曜早朝をデータ更新日とし、カラオケ店２はオフィス街にある店舗で毎週日曜日が定休日のため、日曜日をデータ更新日としている。いま、例えば火曜日に利用者のスマートフォン５がカラオケ店１のカラオケ装置３と接続されており、その時、楽曲の一覧は予約操作のために転送されている。図１の例では楽曲Ａ、楽曲Ｂ、楽曲Ｃ、及び月曜日に配信されたばかりの楽曲Ｄがスマートフォン５に転送されている。
【００２１】
その後、同じ週の木曜日にこの利用者が他のカラオケ店２を訪れたとする。カラオケ店２は毎週日曜日更新のためカラオケ装置４には、楽曲Ｄがない場合がある。この場合、請求項１の例では、スマートフォン５には楽曲Ｄが表示されず、カラオケ装置４に存在する楽曲のみで歌唱可能となる。
【００２２】
これにより、歌唱ができない楽曲がスマートフォンに表示されるという事態は回避される。
【００２３】
一方、図２に示す請求項２のアプローチでは、カラオケ店２のカラオケ端末装置４が持っていない楽曲Dが歌唱リクエストされた場合、リモコン装置の持っている楽曲に合わせ楽曲Ｄのみダウンロードして利用者の要求に答えるというものである。
【００２４】
また、図３に示す請求項３では、サーバ６にはカラオケ店１にもカラオケ店２にもまだ配信されていない楽曲が存在した場合、スマートフォン５は、専用サーバ６から最新の楽曲リストを直接ダウンロードする。その結果、カラオケ装置３、カラオケ装置４にも配信されていない楽曲Ｅがスマートフォン５の楽曲リストに存在することになる。
【符号の説明】
【００２５】
１    カラオケ店
２    カラオケ店
３    カラオケ装置
４    カラオケ装置
５    スマートフォン
６    サーバ
７    専用ネットワーク
【図１】
2015210403.tif 000003
【図２】
2015210403.tif 000004
【図３】
2015210403.tif 000005